(57)【要約】【課題】  簡易な構成で、地震等の発生時に電源の供給の遮断を行うことができ、製造コストの高騰を抑制することが可能な電気機器の提供を課題とする。【解決手段】  ＡＣコ−ド３０を構成する第１コ−ド部３０ａと第２コ−ド部３０ｂとは、ピンジャック機構により所定の力で分離可能に構成されており、キャビネット１４に取り付けられる着脱式ホルダ−は、係合部２２が係合されることにより、所定の力でキャビネット１４から引き抜くことが可能となっている。また、第２コ−ド部３０ｂは、着脱式ホルダ−２０と分離不可能に固定されている。このため、ＡＣコ−ド３０をキャビネット１４から引き抜く方向に力が加わると、着脱式ホルダ−２０がキャビネット１４から引き抜かれて分離するとともに、それに連動して第２コ−ド部３０ｂが第１コ−ド部３０ａから引き抜かれて分離し、電源の供給が断たれる。【選択図】  図３
2006294465.tif 000002
【特許請求の範囲】
【請求項１】
既設コンセントに差し込まれる電源プラグと、同電源プラグと本体とを接続する電源コ−ドとを具備し、テレビジョン放送電波に基づくテレビ映像を表示するテレビジョン受信装置において、
上記電源コ−ドは、上記本体の基板側に接続される第１コ−ド部と、上記電源プラグ側に接続される第２コ−ド部とが、ピンジャック構造により接続され、所定の力で分離可能に形成されており、
上記第２コ−ド部と分離不可能に固定され、所定の力で離脱するように上記本体に係合される係合部を有する着脱式ホルダ−を具備し、
上記係合部は、本体のキャビネットに形成された貫通孔に嵌合される嵌合部と、同嵌合部の先端部に形成された係合片とを備え、
上記嵌合部が上記キャビネットに形成された貫通孔に嵌合されたときに、上記係合片が同キャビネットの裏側に係合されるように取り付けられ、離脱させるときには、上記着脱式ホルダ−を同キャビネットから引き抜く方向に力を加えることにより、上記嵌合部が弾性的に湾曲しつつ上記係合片が上記キャビネットから離脱するように構成され、さらに、
上記キャビネットに当接されたバネの付勢力を変化させることにより、上記キャビネットから離脱させるために必要な力の大きさを調整可能とする調整機構を具備し、
上記電源コ−ドに対して力が加わることにより、上記着脱式ホルダ−が上記本体から離脱し、それに連動して上記第１コ−ド部と上記第２コ−ド部とが分離するように構成されていることを特徴とするテレビジョン受信装置。
【請求項２】
既設コンセントに差し込まれる電源プラグと、同電源プラグと本体とを接続する電源コ−ドとを具備する電気機器において、
上記電源コ−ドは、上記本体の基板側に接続される第１コ−ド部と、上記電源プラグ側に接続される第２コ−ド部とが、所定の力で分離可能に形成されており、
上記第２コ−ド部と分離不可能に固定され、所定の力で離脱するように上記本体に係合される係合部を有する着脱式ホルダ−を具備し、
上記電源コ−ドに対して力が加わることにより、上記着脱式ホルダ−が上記本体から離脱し、それに連動して上記第１コ−ド部と上記第２コ−ド部とが分離するように構成されていることを特徴とする電気機器。
【請求項３】
上記着脱式ホルダ−が具備する上記係合部は、本体のキャビネットに形成された貫通孔に嵌合される嵌合部と、同嵌合部の先端部に形成された係合片とを具備し、
上記嵌合部が上記キャビネットに形成された貫通孔に嵌合されたときに、上記係合片が同キャビネットの裏側に係合されるように取り付けられ、
離脱させるときには、上記着脱式ホルダ−を同キャビネットから引き抜く方向に力を加えることにより、上記嵌合部が弾性的に湾曲しつつ上記係合片が上記キャビネットから離脱することを特徴とする請求項２に記載の電気機器。
【請求項４】
上記係合部は、互いに対向するように２つ設けられていることを特徴とする請求項３に記載の電気機器。
【請求項５】
上記係合部は、上記キャビネットに当接されたバネの付勢力を変化させることにより、上記キャビネットから離脱させるために必要な力の大きさを調整可能とする調整機構を具備していることを特徴とする請求項２〜４のいずれかに記載の電気機器。
【請求項６】
上記係合部は、キャビネットに押圧する板形状の押圧部と、この押圧部に一端が固定されたバネと、バネの他端に固定された板形状の支持部と、所定の回転軸を中心に回動させることが可能な略Ｔ字形状の押込部とを具備し、
上記押込部は、上記着脱式ホルダ−の本体部に固定されており、
上記押込部を回動させることで、上記支持部が同押込部に押し込まれるとともに上記バネが付勢され、同バネの付勢力により上記押圧部が上記キャビネットを押圧されることにより、上記係合部を上記キャビネットから離脱させるために必要な力の大きさが変化するように構成されていることを特徴とする請求項５に記載の電気機器。
【請求項７】
テレビジョン放送電波に基づくテレビ映像を表示するテレビジョン受信装置であることを特徴とする請求項２〜６のいずれかに記載の電気機器。
【発明の詳細な説明】
【技術分野】
【０００１】
本発明は、既設コンセントからの電源の供給を受けるための電源プラグおよび電源コ−ドを具備する電気機器に関し、特に、同電源プラグおよび電源コ−ドを具備するテレビジョン受信装置に関するものである。
【背景技術】
【０００２】
従来、強い衝撃や地震等の発生により破損の虞があるときに、既設コンセントから電源プラグを自動的に引き抜く等することにより、電源の供給を遮断するように構成された電気機器が知られている（例えば、特許文献１〜４参照）。このような電気機器によれば、破損した基板、回路に電源が供給されることや、電源が供給された状態で水がかかってしまうこと等によりショ−トしてしまうことを防止することが可能となる。
【特許文献１】特開２０００−３４８８２５号公報
【特許文献２】特開平０９−２８４９８７号公報
【特許文献３】特開２００４−３０４９６４号公報
【特許文献４】特開２００５−２７２３０号公報
【発明の開示】
【発明が解決しようとする課題】
【０００３】
しかしながら、上述した特許文献に記載の電気機器では、振動発生を検知するセンサや、このセンサでの検知に応じて既設コンセントから電源プラグを自動的に引き抜く機構等を具備しており、このことが製造コストの高騰の原因となってしまう問題があった。
【０００４】
本発明は、上記課題にかんがみてなされたものであり、簡易な構成で、地震等の発生時に電源の供給の遮断を行うことができ、製造コストの高騰を抑制することが可能な電気機器を提供することを目的とする。
【課題を解決するための手段】
【０００５】
上記目的を達成するため、請求項２にかかる発明は、既設コンセントに差し込まれる電源プラグと、同電源プラグと本体とを接続する電源コ−ドとを具備する電気機器において、
上記電源コ−ドは、上記本体の基板側に接続された第１コ−ド部と、上記電源プラグ側に接続される第２コ−ド部とが、所定の力で分離可能に形成されており、
上記第２コ−ド部と分離不可能に固定され、所定の力で離脱するように上記本体に係合される係合部を有する着脱式ホルダ−を具備し、
上記電源コ−ドに対して衝撃が加わることにより、上記着脱式ホルダ−が上記本体から離脱し、それに連動して上記第１コ−ド部と上記第２コ−ド部とが分離する構成としてある。
【０００６】
上記のように構成した請求項２にかかる発明において、電気機器は、室内の壁面等に取り付けられた既設コンセントに差し込まれる電源プラグと、この電源プラグと本体とを接続する電源コ−ドとを具備している。
また、上記電気機器が具備する電源コ−ドは、上記本体の基板側に接続される第１コ−ド部と、上記電源プラグ側に接続される第２コ−ド部とが、所定の力で分離可能に形成されている。すなわち、上記電源コ−ドは、所定の力が加わることにより途中で分離可能に構成されており、同電源コ−ドが分離したときには、当然、本体への電源の供給が断たれることとなる。
【０００７】
また、上記電気機器は、上記第２コ−ド部と分離不可能に固定され、所定の力で離脱するように上記本体に係合される係合部を有する着脱式ホルダ−を具備し、上記電源コ−ドに対して衝撃が加わることにより、上記着脱式ホルダ−が上記本体から離脱し、それに連動して上記第１コ−ド部と上記第２コ−ド部とが分離するように構成されている。
すなわち、地震等に起因して電源コ−ドに衝撃が加わることにより、この電源コ−ドに固定された着脱式ホルダ−に、離脱する方向に力が加わることとなる。そして、着脱式ホルダ−が本体から離脱すると、それに連動して第１コ−ド部と第２コ−ド部が分離し、これにより既設コンセントからの電源の供給が切断されることとなる。請求項２にかかる発明では、このように電源コ−ドを分離可能にし、電源プラグ側の第２コ−ド部を着脱式ホルダ−と固定するとともに、同着脱式ホルダ−を本体に離脱可能に係合させるという簡易な構成で、地震等の発生時に電源の供給を遮断することができるため、製造コストの高騰を抑制することが可能となるのである。
なお、上記請求項２にかかる発明において、上記着脱式ホルダ−は、上記第１コ−ド部と上記第２コ−ド部との接続部分を被覆するように形成されていることが望ましい。
【０００８】
また、請求項３にかかる発明は、上記着脱式ホルダ−が具備する上記係合部は、本体のキャビネットに形成された貫通孔に嵌合される嵌合部と、同嵌合部の先端部に形成された係合片とを具備し、
上記嵌合部が上記キャビネットに形成された貫通孔に嵌合されたときに、上記係合片が同キャビネットの裏側に係合されるように取り付けられ、
離脱させるときには、上記着脱式ホルダ−を同キャビネットから引き抜く方向に力を加えることにより、上記嵌合部が弾性的に湾曲しつつ上記係合片が上記キャビネットから離脱する構成としてある。
上記のように構成した請求項３にかかる発明において、簡易な方法で着脱式ホルダ−の取り付けを行うことが可能となる。
【０００９】
また、請求項４にかかる発明は、上記係合部が、互いに対向するように２つ設けられている構成としてある。
上記のように構成した請求項４にかかる発明において、着脱式ホルダ−を安定した状態で取り付けることが可能となる。
【００１０】
また、請求項５にかかる発明は、上記係合部が、上記キャビネットに当接されたバネの付勢力を変化させることにより、上記キャビネットから離脱させるために必要な力の大きさを調整可能とする調整機構を具備している構成としてある。
上記のように構成した請求項５にかかる発明において、キャビネットから離脱させるために必要な力を、状況に応じて設定しておくことが可能となる。
【００１１】
また、請求項６にかかる発明は、上記係合部は、キャビネットに押圧する板形状の押圧部と、この押圧部に一端が固定されたバネと、バネの他端に固定された板形状の支持部と、所定の回転軸を中心に回動させることが可能な略Ｔ字形状の押込部とを具備し、上記押込部は、上記着脱式ホルダ−の本体部に固定されており、上記押込部を回動させることで、上記支持部が同押込部に押し込まれるとともに上記バネが付勢され、同バネの付勢力により上記押圧部が上記キャビネットを押圧されることにより、上記係合部を上記キャビネットから離脱させるために必要な力の大きさが変化するように構成されている。
上記のように構成した請求項６にかかる発明において、押込部を押し込むことにより、係合部をキャビネットから離脱させるために必要な力を弱めることが可能となる。
【００１２】
また、請求項７にかかる発明は、電気機器がテレビジョン放送電波に基づくテレビ映像を表示するテレビジョン受信装置である構成としてある。
上記のように構成した請求項５にかかる発明において、製造コストの高騰を抑制しつつ地震等の発生時に電源の供給の遮断を行うことが可能なテレビジョン受信装置とすることが可能となる。
【発明の効果】
【００１３】
以上説明したように請求項２にかかる発明によれば、製造コストの高騰を抑制しつつ地震等の発生時に電源の供給の遮断を行うことが可能となる。
また、請求項３にかかる発明によれば、簡易な方法で着脱式ホルダ−の取り付けを行うことが可能となる。
さらに、請求項４にかかる発明によれば、着脱式ホルダ−を安定した状態で取り付けることが可能となる。
さらに、請求項５にかかる発明によれば、キャビネットから離脱させるために必要な力を、状況に応じて設定しておくことが可能となる。
さらに、請求項６にかかる発明によれば、押込部を押し込むことにより、係合部をキャビネットから離脱させるために必要な力を弱めることが可能となる。
さらに、請求項７にかかる発明によれば、製造コストの高騰を抑制しつつ地震等の発生時に電源の供給の遮断を行うことが可能なテレビジョン受信装置とすることが可能となる。
【発明を実施するための最良の形態】
【００１４】
以下、下記の順序に従って本発明の実施形態を説明する。
（１）テレビジョン受信装置の外観：
（２）着脱式ホルダ−の取付構造：
（３）各種変形例：
（４）まとめ：
【００１５】
（１）テレビジョン受信装置の外観：
以下、図面に基づいて本発明の実施形態を説明する。
図１は、実施形態にかかるテレビジョン受信装置の外観図である。同図において、テレビジョン受信装置１０は、外枠を構成するキャビネット１４と、受信したテレビジョン放送信号に基づく映像、および、ビデオテ−プの再生映像を表示させるためのディスプレイ１１とを具備している。このディスプレイ１１は、ブラウン管からなるものであるが、液晶表示器やＰＤＰ表示器からなるものであってもよい。また、ディスプレイ１１の下側には、受信チャンネルの選択、音量調整等の操作を行う操作パネル部１３が設けられている。
【００１６】
図２は、図１に示したテレビジョン受信装置の背面側を示す斜視図である。同図において、テレビジョン受信装置１０の背面側から、上記電源コ−ドとしてのＡＣコ−ド３０が延びており、ＡＣコ−ド３０の先端部には、電源プラグ４０が接続されている。電源プラグ４０は、図示しない既設コンセントに差し込まれ、同既設コンセントからテレビジョン受信装置１０の動作に必要な電力の供給を受ける。なお、後述するが、ＡＣコ−ド３０は、所定の力で引き抜くことにより２つに分離するようになっている。また、ＡＣコ−ド３０は、キャビネット１４に対して着脱可能に取り付けられる着脱式ホルダ−２０と分離不可能に固定されている。この着脱式ホルダ−２０については後に図面（図３）を用いて詳述する。
【００１７】
（２）着脱式ホルダ−の取付構造：
図３は，図２に示した着脱式ホルダ−がテレビジョン受信装置のキャビネットに取り付けられている様子を示す縦断面図である。同図において、ＡＣコ−ド３０は、テレビジョン受信装置１０の動作を制御するための各種の回路が配置される基板５０における電源回路（図示せず）に接続される第１コ−ド部３０ａと、電源プラグ４０と接続される第２コ−ド部３０ｂとからなり、これら第１コ−ド部３０ａと、第２コ−ド部３０ｂとは、図４に示すピンジャック構造により、所定の力で引き抜くことができるように接続されている。具体的には、第１コ−ド部３０ａの先端部に形成されたプラグ部３０ａ１と、第２コ−ド部３０ｂの先端部に形成されたソケット部３０ｂ１とが嵌合することにより接続されている。なお、本発明において、電源コ−ドを所定の力で分離可能とする機構としては、図４に示した例に限定されるものではなく、種々の機構を採用することが可能である。
【００１８】
また、テレビジョン受信装置１０のキャビネット１４には、貫通孔１４ａが形成されており、この貫通孔１４ａには、着脱式ホルダ−２０が、所定の力で引き抜くことによりキャビネット１４と離脱可能に取り付けられている。この着脱式ホルダ−２０は、貫通孔１４に嵌合される嵌合部２２ａと、嵌合部２２ａの先端部に形成され、キャビネット１４の背面側に係合される係合片２２ｂとからなる係合部２２を上下２箇所に具備している。係合片２２ｂは、略矢印形状を有しており、キャビネット１４の背面に対して、図中、左側に傾斜して形成されているため、着脱式ホルダ−２０を右方向に引き抜くように力を加えると、上下２つの係合部２２が、弾性的に内側に湾曲し、係合部２２がキャビネット１４から離脱する。また、この着脱式ホルダ−２０をキャビネット１４に取り付けるときも同様に、着脱式ホルダ−２０を押し込むように力を加えることにより、上下２つの係合部２２が内側に弾性的に湾曲しつつ、係合片２２ｂがキャビネット１４の背面に係合されることにより取り付けられる。
【００１９】
ＡＣコ−ド３０を構成する第１コ−ド部３０ａと第２コ−ド部３０ｂのうち、第２コ−ド部３０ｂは、着脱式ホルダ−２０と分離不可能に固定されている一方、第１コ−ド部３０ａは、着脱式ホルダ−２０と固定されていない。従って、地震等の発生によりテレビジョン受信装置１０が転倒等して、ＡＣコ−ド３０をキャビネット１４から引き抜く方向に力が加わると、第２コ−ド部３０ｂと分離不可能に固定されている着脱式ホルダ−２０がキャビネット１４から引き抜かれるとともに、それに連動して第２コ−ド部３０ｂが第１コ−ド部３０ａから引き抜かれて分離することとなる。これにより、テレビジョン受信装置１０への電源の供給が断たれ、基板上の回路等が破損した場合に、同回路等に電源が供給されてショ−トしてしまうことを防止することが可能となる。着脱式ホルダ−２０の本体部２１と係合部２２とは、樹脂成型等により一体的に形成されることが望ましい。
【００２０】
なお、第１コ−ド部３０ａと第２コ−ド部３０ｂとの接続部分３０ｃは、着脱式ホルダ−２０の内に被覆されるため、接続部分３０ｃに直接力が加わり、ＡＣコ−ド３０が分離してしまうことを防止することが可能となる。また、図３に示すように、上方からの落下物等が着脱式ホルダ−２０に衝突して、着脱式ホルダ−２０がキャビネット１４から離脱してしまったりすることを防止する目的で、着脱式ホルダ−２０の上方に衝突防止部材６０を配設しておくことが望ましい。
【００２１】
（３）各種変形例：
図５、図６は、変形例にかかる着脱式ホルダ−がテレビジョン受信装置に取り付けられている様子を示す縦断面図である。図５に示すように、変形例にかかる着脱式ホルダ−１２０は、キャビネット１４から離脱させるために必要な力の大きさを調整可能とする調整機構を具備している。この調整機構は、キャビネット１１４に押圧する板形状の押圧部１６０と、この押圧部に一端が固定されたバネ１６１と、バネ１６１の他端に固定された板形状の支持部１６２と、回転軸１６３ｂを中心に回動させることができるとともに、後述する止め具１６４が係合される係合凹部１６３ａが形成された略Ｔ字状の押込部１６３とから構成されている。
【００２２】
上述した押圧部１６０と支持部１６２とは、図中、左右の方向にのみスライド移動可能なように構成されている。また、押込部１６３の回転軸１６３は、着脱式ホルダ−１２０の本体部１２１に固定されている。図５に示した状態では、バネ１６１は付勢されていない。ここで、図５中白抜きの矢印にて示すように、回転軸１６３ｂを中心にして下方向に押込部１６３を回動させると、図６に示すように、押込部１６３により支持部１６２が左方向に押し込まれ、バネ１６１が付勢される。このバネ１６１の付勢力により、押圧部１６０がキャビネット１１４を押圧することとなる。
【００２３】
上述したように、押込部１６３の回転軸１６３は、着脱式ホルダ−１２０の本体部１２１に固定されているため、バネ１６１が付勢することにより、着脱式ホルダ−１２０がキャビネット１１４から離脱する方向に力が加わることとなる。これにより、係合部１２２がキャビネット１１４から離脱するために必要な力が減少し、係合部１２２がキャビネット１４４から離脱し易くなる。
【００２４】
なお、上述した実施形態においては、本発明の電気機器をテレビジョン受信装置に適用した場合について説明したが、本発明の電気機器は、既設コンセントに接続するための電源プラグおよび電源コ−ドを具備するものであれば、テレビジョン受信装置に限定されるものではなく、例えば、ビデオデッキ、電子レンジ、冷蔵庫等、各種の電気機器に本発明を適用することが可能である。
【００２５】
（４）まとめ：
以上、説明したように、実施形態にかかるテレビジョン受信装置１０によれば、ＡＣコ−ド３０を構成する第１コ−ド部３０ａと第２コ−ド部３０ｂとは、ピンジャック機構により所定の力で分離可能に構成されており、キャビネット１４に取り付けられる着脱式ホルダ−は、係合部２２が係合されることにより、所定の力でキャビネット１４から引き抜くことが可能となっている。また、第２コ−ド部３０ｂは、着脱式ホルダ−２０と分離不可能に固定されている。このため、ＡＣコ−ド３０をキャビネット１４から引き抜く方向に力が加わると、着脱式ホルダ−２０がキャビネット１４から引き抜かれて分離するとともに、それに連動して第２コ−ド部３０ｂが第１コ−ド部３０ａから引き抜かれて分離し、電源の供給が断たれる。そのため、簡易な構成で、地震等の発生時に電源の供給を遮断することができ、製造コストの高騰を抑制することが可能となる。
【図面の簡単な説明】
【００２６】
【図１】実施形態にかかるテレビジョン受信装置の外観斜視図である。
【図２】テレビジョン受信装置の背面側を示す斜視図である。
【図３】着脱式ホルダ−がテレビジョン受信装置のキャビネットに取り付けられている様子を示す縦断面図である。
【図４】ＡＣコ−ドの構成を示す図である。
【図５】変形例にかかる着脱式ホルダ−がテレビジョン受信装置のキャビネットに取り付けられている様子を示す縦断面図である。
【図６】変形例にかかる着脱式ホルダ−がテレビジョン受信装置のキャビネットに取り付けられている様子を示す縦断面図である。
【符号の説明】
【００２７】
１０…テレビジョン受信装置
１１…ディスプレイ
１３…操作パネル部
１４…キャビネット
１４ａ…貫通孔
２０…着脱式ホルダ−
２２…係合部
２２ａ…嵌合部
２２ｂ…係合片
３０…ＡＣコ−ド
３０ａ…第１コ−ド部
３０ａ１…プラグ部
３０ｂ…第２コ−ド部
３０ｂ１…ソケット部
４０…電源プラグ
５０…基板
６０…衝突防止部材
【図１】
2006294465.tif 000003
【図２】
2006294465.tif 000004
【図３】
2006294465.tif 000005
【図４】
2006294465.tif 000006
【図５】
2006294465.tif 000007
【図６】
2006294465.tif 000008